(57)【要約】【課題】取り扱いが容易で周囲の清潔を保持しながら検体を容易且つ確実に採取可能とするサージカルドレープの受水袋を得る。【解決手段】上端開口部6を径大としたテーパ状の袋本体3をドレープ本体1に配置し、この袋本体3の底部8に検体採取用フィルター10を一体に設けるとともに、袋本体3の上端開口部6から検体採取用フィルター10までの深さを20cm〜50cmとし、上端開口部6から袋本体3内部に流入した検体を、上記検体採取用フィルター10にて採取可能とする。【選択図】図１
0003181847.tif 000002
【実用新案登録請求の範囲】
【請求項１】
上端開口部を径大としたテーパ状の袋本体をドレープ本体に配置し、この袋本体の底部に検体採取用フィルターを取り外し不能に固定配置するとともに、袋本体の上端開口部から検体採取用フィルターまでの深さを20cm〜50cmとし、上端開口部から袋本体内部に流入した検体を、上記検体採取用フィルター上にて採取可能としたことを特徴とするサージカルドレープの受水袋。
【考案の詳細な説明】
【技術分野】
【０００１】
本考案は、手術の際に患者に被覆するサージカルドレープの受水袋に関するものである。
【背景技術】
【０００２】
従来より、特許文献１に示す如く受水袋を設けたサージカルドレープが手術の際に一般的に使用されている。この受水袋は上端に開口部を設けたテーパ状である。そしてこの受水袋の下端内側には、受水袋とは別体に形成した漏斗状部を、受水袋に固定せずに挿入配置し、この漏斗状部材には検体採取用フィルターを配置している。そのため、体液等の液体とともに受水袋内に流入した検体は、上記検体採取用フィルター上に残留する。従って、液体とともに受水袋内に流入した検体を、検体採取用フィルター上にて採取することができる。
【特許文献１】特開２０１０−３５６９３号公報
【考案の開示】
【考案が解決しようとする課題】
【０００３】
しかしながら、特許文献１に記載の受水袋内は、上記の如く漏斗状部材を受水袋と別個に形成配置している。そのため、手術前の準備の際にサージカルドレープの他に漏斗状部材を別途用意しなければならないとともに、ドレーピングの際に受水袋内に漏斗状部材をその都度配置しなければならず手間がかかるものとなっていた。また、ドレープ本体と漏斗状部材とでは材質が異なるため、別個に洗浄・保管等を行わなければならない。従って、管理が煩雑となるとともに漏斗状部材を紛失するおそれがあった。
【０００４】
更に、上記の如く漏斗状部材を受水袋内に固定することなく単に挿入配置して使用するものであるから、受水袋内で漏斗状部材がずれて受水袋と漏斗状部材との間に隙間が生じる場合がある。このような場合には、受水袋と漏斗状部材との隙間から検体が検体採取用フィルターに残留することなく外部に流出するおそれがあるため、検体を確実に採取することが困難となっていた。
【０００５】
そこで、本考案は上述の如き課題を解決しようとするものであって、取り扱いが容易で周囲の清潔を保持しながら検体を容易且つ確実に採取可能とするサージカルドレープの受水袋を得ることを目的としている。
【課題を解決するための手段】
【０００６】
本考案は上述の如き課題を解決するため、上端開口部を径大としたテーパ状の袋本体をドレープ本体に配置し、この袋本体の底部に検体採取用フィルターを取り外し不能に固定配置するとともに、袋本体の上端開口部から検体採取用フィルターまでの深さを20cm〜50cmとし、上端開口部から袋本体内部に流入した検体を、上記検体採取用フィルター上にて採取可能としたものである。
【０００７】
上記の如く、本考案は検体採取用フィルターを袋本体に取り外し不能に固定配置しているため、手術前の準備が容易となるとともに、ドレープ本体と検体採取用フィルターとを別個に洗浄したり保管したりする必要がない。従って、検体採取用フィルターの取り扱いを簡易なものとすることができるとともに、検体採取用フィルターを紛失する等の事態を防ぐことができる。また、袋本体の上端開口部から流入した検体を、検体採取用フィルター上にて確実に採取することができる。
【０００８】
また、袋本体の上端開口部から検体採取用フィルターまでの深さを20cm以上とすることにより、袋本体内への液体の流入時に、液体が検体採取用フィルターに突き当たって液体が受水袋から外部に飛散する事態を防ぐことができる。また、上端開口部から流入して袋本体内に一時的に貯留した液体が上端開口部から溢れ出るのを防ぐことができる。更に、手術中に手術器具を検体採取用フィルター上に一時的に置いた場合、この手術器具が受水袋から落下する事態を防ぐことができる。
【０００９】
また、上端開口部から検体採取用フィルターまでの深さを50cm以下とすることにより、上端開口部からの検体採取用フィルターまでの深さが一般的な成人の腕の長さよりも短いものとなる。そのため、検体採取用フィルター上の検体を取り出す際に、検体の採取を行う者が袋本体内に手を差し入れて検体採取用フィルター上の検体を無理なく取り出すことができる。
【考案の効果】
【００１０】
本考案は上述の如く構成したものであって、検体採取用フィルターを袋本体に取り外し不能に固定配置しているため、手術前の準備を簡易なものとすることができる。また、ドレープ本体と検体採取用フィルターとを別個に洗浄したり保管したりする必要がないため管理が容易となり、検体採取用フィルターのみを紛失する等の事態を防ぐことができる。また、袋本体内において検体採取用フィルターがずれたり外れたりするおそれがないため、袋本体と検体採取用フィルターとの間に隙間が生じることなく、袋本体の上端開口部から流入した検体を検体採取用フィルター上にて確実に採取することができる。
【００１１】
また、袋本体の上端開口部から検体採取用フィルターまでの深さを20cm以上とすることにより、受水時に液が飛散するのを防ぐとともに、上端開口部から流入して袋本体内に一時的に貯留した液体が上端開口部から溢れ出るのを防ぐことができる。更に、手術中に検体採取用フィルター上に手術器具を一時的に置いた際に、この手術器具が袋本体から落下する事態を防ぐことができる。
【００１２】
また、上端開口部から検体採取用フィルターまでの深さを50cm以下とすることにより、上端開口部からの検体採取用フィルターまでの深さが一般的な成人の腕の長さよりも短いものとなる。そのため、検体採取用フィルター上の検体を取り出す際に、検体の採取を行う者が袋本体内に手を差し入れて検体採取用フィルター上の検体を無理なく取り出すことができる。
【図面の簡単な説明】
【００１３】
【図１】本発明の実施例１を示す平面図。
【図２】実施例１の受水袋の断面図。
【図３】実施例１のサージカルドレープを患者に被覆した状態を示す概念図。
【実施例１】
【００１４】
本考案の実施例１について説明すると、図１〜３に示す本実施例のサージカルドレープは泌尿器科及び産婦人科の手術用に使用するものである。そしてこのサージカルドレープのドレープ本体には図１に示す如く受水袋(2)を固定配置している。この受水袋(2)は、図２に示す如く袋本体(3)と、この袋本体(3)の外側に設けた外袋(4)とから成る。この袋本体(3)及び外袋(4)は上端を径大としたテーパ型であり、図２に示す如く外袋(4)の上端開口部(5)を袋本体(3)の上端開口部(6)に接続固定している。また、上記外袋(4)の下端には下端開口部(７)を設けている。
【００１５】
そして、上記袋本体(3)の底部(8)には、図１に示す如く検体採取用フィルター(10)を袋本体(3)と分離する事がないように一体に固定配置している。この検体採取用フィルター(10)はメッシュ生地にて形成したものであって、外周縁を袋本体(3)の内周面に接着固定している。そのため、体液等の液体とともに上端開口部(6)から袋本体(3)内に流入した検体は、この検体採取用フィルター(10)上に確実に残留するものとなる。
【００１６】
また、本実施例では袋本体(3)の上端開口部(6)から検体採取用フィルター(10)までの深さを25cmとしている。そのため、袋本体(3)への液体の流入時に液体が飛び散った場合でも、袋本体(3)の壁面によって液体の外方への飛散を防止することができる。また、上端開口部(6)から検体採取用フィルター(10)までの深さが一般的な成人の腕の長さ(約70cm)よりも短いものであるから、検体の採取作業を行う者は検体採取用フィルター(10)上に残留した検体を袋本体(3)内から手で若しくはピンセット等の器具を使用して無理なく取り出すことができる。
【００１７】
また、上端開口部(6)から袋本体(3)内に流入した液体は、検体採取用フィルター(10)を通過して外袋(4)の下端開口部(７)から外方に排出される。そして下端開口部(７)から排出された液体は、図３に示す如く下端開口部(７)を内部に挿入した液体収集容器(18)内に貯留されるものとなる。
【００１８】
上記の如く検体採取用フィルター(10)を袋本体(3)と一体に設けることにより、サージカルドレープとは別に検体採取用フィルター(10)を準備する必要がないため、手術前の準備を簡易なものとすることができる。また、ドレープ本体(1)と検体採取用フィルター(10)とを一緒に洗浄することができるため、洗浄作業を簡易なものとすることができるとともに、検体採取用フィルター(10)のみを紛失する等の事態を防ぐことができ、管理が容易となる。
【００１９】
更に、検体採取用フィルター(10)の外周縁を袋本体(3)の内周面に密着させて固定配置していることから、検体採取用フィルター(10)が袋本体(3)内でずれて袋本体(3)の内面と検体採取用フィルター(10)との間に隙間が生じることがない。そのため、上端開口部(6)から流入した検体を検体採取用フィルター(10)上にて確実に採取することができる。
【００２０】
尚、上記本実施例のドレープ本体(1)及び受水袋(2)は、ポリエステル長繊維製であって、通気性と撥水性とを備えており洗浄することによって再使用可能なものである。また、ポリエステル長繊維は難燃性材料であるため、手術で使用する電気メス等の火花によって穴が開いたり燃えたりする危険性が少ないものである。
【００２１】
尚、本実施例では上記袋本体(3)の成形を縫製により行っている。従って、袋本体(3)内に流入した液体が縫製によって形成された針穴から漏れ出し、周囲を汚染する危険性がある。そこで、本実施例では図１、２に示す如く、袋本体(3)の外周に外袋(4)を配置することにより、袋本体(3)の液体が針穴から漏れ出た場合でも、漏れ出た液体が外袋(4)により遮断され、外部への流出を阻止することができる。
【００２２】
また、袋本体(3)の外表面には樹脂被膜をコーティングすることにより、袋本体(3)の針穴以外の部分からの液漏れを防止している。尚、本実施例では袋本体(3)の外表面に樹脂被膜をコーティングしているが、他の異なる実施例では袋本体(3)の外表面に樹脂皮膜をラミネートしたり、袋本体(3)の外表面に樹脂を含浸させて形成することも可能である。上記の如く構成することにより、受水袋(2)内の液体の漏れを防ぐことが可能となるため、受水袋(2)からの液漏れによる周囲への汚染を未然に防ぐことができる。
【００２３】
尚、本実施例では上記の如く、受水袋(2)を縫製によって成形しているが、他の異なる実施例では受水袋(2)を接着テープを用いて成形することも可能である。尚、受水袋(2)を接着テープを用いて成形する場合には針穴が形成されないため、針穴からの液漏れという問題が生じないことから外袋(4)を配置する必要がない。
【００２４】
また、図１に示す如く、袋本体(3)の上端開口部(6)の左右両側に、受水袋(2)の開口形状を保持するための長尺な紐体(12)を２箇所設けている。そしてこの紐体(12)を、図３に示す如くドレープ本体(1)を被覆するとともに開脚砕石位の体位をとっている患者の両脚部にそれぞれ環状に括り付ける。
【００２５】
これにより、袋本体(3)の上端開口部(6)が部分的に上記紐体(12)に引っ張られて患者側とは反対方向に開口するため、上端開口部(6)の開口状態を保持することができる。尚、本実施例では上記の如く形成した受水袋(2)をドレープ本体(1)に縫い付けて離脱不能に固定配置しているが、他の異なる実施例ではドレープ本体(1)に着脱可能に配置することも可能である。
【００２６】
また、上記の如く形成した受水袋(2)の上方には、術野である陰部を露出するための開窓部(13)を設けている。また、本実施例では図１に示す如く、上記開窓部(13)の外周に液体を吸収可能とする略長方形状のシート(14)を固定配置している。
【００２７】
また、このシート(14)は、上端側をドレープ本体(1)に固定するとともに、下端側を自由端とした挿入片(15)としている。そして、使用時には図１に示す如く挿入片(15)を受水袋(2)の内方に挿入することにより、シート(14)上に排出された液体を受水袋(2)内に確実に流入させることができる。
【００２８】
また、上記シート(14)の上端両側には紐状のコードホルダー(16)を一対設けている。このコードホルダー(16)は、中央部をドレープ本体(1)に固定するとともに両端に留め具(17)を配置したものである。そして、手術で使用する電気メス等の電気製品のコードを束ねた状態でコードホルダー(16)を巻き付けて留め具(17)で止めることにより、長尺なコードをドレープ本体(1)に固定して手術の妨げにならないようにすることができる。
【００２９】
上記の如く構成したサージカルドレープの使用方法について説明すると、まず患者の上半身にドレープ本体(1)の上部を被覆する。次に、開窓部(13)から陰部を露出させるとともに、シート(14)の挿入片(15)を受水袋(2)内に挿入する。そして、受水袋(2)の紐体(12)を環状に形成し、それぞれ患者の両足に架けることにより、受水袋(2)の上端開口部(6)を開口状態に保持する。そして外袋(4)の下端開口部(７)を、患者の両足間に配置した液体収集容器(18)内に挿入する。これにより、本実施例のサージカルドレープの装着が完了する。
【００３０】
そして、手術中に尿道から流出した液体及び検体は、上記の如くシート(14)上に排出される。そして、シート(14)を通過した検体及び液体は袋本体(3)内に移動し、検体は検体採取用フィルター(10)上に残留するとともに、液体は検体採取用フィルター(10)を通過して下端開口部(７)から液体収集容器(18)内に流入する。そして、検体採取用フィルター(10)に残留した検体は、検体の採取を行う者が袋本体(3)内に手を差し入れて採取する。
【符号の説明】
【００３１】
１  ドレープ本体
２  袋本体
６  上端開口部
８  底部
１０  検体採取用フィルター
【図１】
0003181847.tif 000003
【図２】
0003181847.tif 000004
【図３】
0003181847.tif 000005